(57)【要約】【課題】多機能化が進む冷蔵庫を、より低い製造コストで実現し、且つ、より簡易な態様により機能に関する情報を表示する。【解決手段】本実施形態に係る冷蔵庫表示システムは、冷蔵庫と、当該冷蔵庫と通信する通信機能を有する端末と、で構築される冷蔵庫表示システムであって、前記冷蔵庫は、当該冷蔵庫の所定機能に関する情報を表示する冷蔵庫側の表示手段を備え、前記端末は、前記冷蔵庫の機能のうち前記所定機能を除く機能に関する情報を表示する端末側の表示手段を備える。【選択図】図１
2020125899.tif 000002
【特許請求の範囲】
【請求項１】
冷蔵庫と、当該冷蔵庫と通信する通信機能を有する端末と、で構築される冷蔵庫表示システムであって、
前記冷蔵庫は、当該冷蔵庫の所定機能に関する情報を表示する冷蔵庫側の表示手段を備え、
前記端末は、前記冷蔵庫の機能のうち前記所定機能を除く機能に関する情報を表示する端末側の表示手段を備え、
前記端末側の表示手段による表示は、前記冷蔵庫側の表示手段による表示よりも細かく行うことが可能である冷蔵庫表示システム。
【請求項２】
請求項１に記載の冷蔵庫表示システムを構築する冷蔵庫。
【請求項３】
請求項１に記載の冷蔵庫表示システムを構築する端末。
【発明の詳細な説明】
【技術分野】
【０００１】
本実施形態は、冷蔵庫と端末とで構築される冷蔵庫表示システム、並びに、当該冷蔵庫表示システムを構築する冷蔵庫および端末に関する。
【背景技術】
【０００２】
近年、例えば冷蔵庫といった家電機器は、多機能化が進んでいる。しかし、冷蔵庫の機能を増やすことに応じて、当該機能を設定するための設定ボタンや、当該機能が設定されていることを示す表示用のＬＥＤなどを追加しなければならない。そのため、冷蔵庫の多機能化が進むほど、その設定部が複雑化し、製造コストが高くなる。また、冷蔵庫の機能を増やしたとしても、それらの機能を全く使わないユーザもいる。また、冷蔵庫の多機能化が進むほど、その設定が煩雑となる。このような背景から、多機能化が進む冷蔵庫を、より低い製造コストで実現し、且つ、より使いやすくする技術が求められている。
【先行技術文献】
【特許文献】
【０００３】
【特許文献１】特開２０１４−０４０９３９号公報
【発明の概要】
【発明が解決しようとする課題】
【０００４】
本実施形態は、多機能化が進む冷蔵庫を、より低い製造コストで実現し、且つ、より簡易な態様により機能に関する情報を表示することができる冷蔵庫表示システム、並びに、当該冷蔵庫表示システムを構築する冷蔵庫および端末を提供する。
【課題を解決するための手段】
【０００５】
本実施形態に係る冷蔵庫表示システムは、冷蔵庫と、当該冷蔵庫と通信する通信機能を有する端末と、で構築される冷蔵庫表示システムである。前記冷蔵庫は、当該冷蔵庫の所定機能に関する情報を表示する冷蔵庫側の表示手段を備える。前記端末は、前記冷蔵庫の機能のうち前記所定機能を除く機能に関する情報を表示する端末側の表示手段を備える。そして、前記端末側の表示手段による表示は、前記冷蔵庫側の表示手段による表示よりも細かく行うことが可能である。
【０００６】
本実施形態に係る冷蔵庫は、本実施形態に係る冷蔵庫表示システムを構築する。
【０００７】
本実施形態に係る端末は、本実施形態に係る冷蔵庫表示システムを構築する。
【図面の簡単な説明】
【０００８】
【図１】第１実施形態に係る家電機器設定システムの構成例を示す図
【図２】操作パネルの構成例を示す図
【図３】端末の構成例を示す図
【図４】設定画面の構成例を示す図（その１）
【図５】設定画面の構成例を示す図（その２）
【図６】設定画面の構成例を示す図（その３）
【図７】端末から家電機器の各種機能を設定する場合における制御内容の一例を示すフローチャート
【図８】設定内容情報の構成例を示す図
【図９】第２実施形態に係る図１相当図
【図１０】図６相当図
【図１１】操作パネルの一部の構成例を示す図
【発明を実施するための形態】
【０００９】
以下、家電機器設定システムに係る複数の実施形態について図面を参照しながら説明する。なお、各実施形態で実質的に同一の要素には同一の符号を付し、説明を省略する。
（第１実施形態）
図１に例示する冷蔵庫設定システム１０は、家電機器設定システムの一例であり、少なくとも、冷蔵庫１１と、端末１２と、を含んで構築されている。冷蔵庫１１は、家電機器の一例であり、操作パネル１３と、通信アダプタ１４と、を備える。冷蔵庫１１は、貯蔵室として、冷蔵室、冷凍室、野菜室、製氷室などを備える。端末１２は、いわゆるスマートフォンといった高機能携帯電話などで構成され、少なくとも、外部の各種機器類と通信するための通信機能を備える。
【００１０】
操作パネル１３は、家電機器側設定手段の一例であり、冷蔵庫１１が有する各種機能を設定するための操作ボタンなどを備える。なお、この操作パネル１３を介して設定できる冷蔵庫１１の機能は、詳しくは後述するように所定の機能に限定されている。通信アダプタ１４は、冷蔵庫１１が備える図示しない通信コネクタに着脱可能に取り付けられている。即ち、通信アダプタ１４は、冷蔵庫１１に、いわゆる後付けすることができる要素である。なお、通信アダプタ１４は、例えば冷蔵庫１１の製造時に当該冷蔵庫１１に内蔵する構成としてもよい。
【００１１】
冷蔵庫１１と端末１２は、通信アダプタ１４を介して相互に無線通信可能に接続され、これにより、冷蔵庫設定システム１０が構築される。なお、冷蔵庫設定システム１０は、冷蔵庫１１と端末１２を、例えばＵＳＢケーブルなどといった通信ケーブルを介して有線通信可能に接続することにより構築してもよい。また、冷蔵庫１１および端末１２は、例えばインターネットなどといった広域ネットワーク１５を介して、外部のサーバ１６にも通信可能に接続される。サーバ１６は、周知のコンピュータシステムにより構成されており、冷蔵庫１１や端末１２にアクセスするための情報などの各種情報、詳しくは後述するアプリケーションソフトを含む各種のコンピュータプログラムなどを記憶しており、これら各種情報やプログラムを配信可能に構成されている。冷蔵庫１１や端末１２にアクセスするための情報としては、例えば、これら冷蔵庫１１や端末１２のＩＰアドレスなどが考えられる。
【００１２】
次に、冷蔵庫１１の操作パネル１３の構成例について説明する。図２に例示するように、操作パネル１３は、必須機能設定部２１と、追加機能設定部２２と、を有する。必須機能設定部２１は、冷蔵庫１１が備える各種の機能のうち「必須機能」として規定されている機能を設定するための要素である。この場合、必須機能として、冷蔵庫１１の各貯蔵室の設定温度を調節する「温度調節機能」が規定されている。従って、必須機能設定部２１は、この場合、冷蔵庫１１の各貯蔵室の設定温度を調節する設定温度調節部として構成されている。
【００１３】
具体的には、この必須機能設定部２１は、冷蔵庫１１の図示しない冷蔵室の設定温度を調節するための冷蔵室設定温度調節ボタン２１ａと、冷蔵庫１１の図示しない冷凍室の設定温度を調節するための冷凍室設定温度調節ボタン２１ｂと、を備える。また、必須機能設定部２１は、冷蔵庫１１の冷蔵室の設定温度のレベルを表示する冷蔵室設定温度レベル表示部２１ｃと、冷蔵庫１１の冷凍室の設定温度のレベルを表示する冷凍室設定温度レベル表示部２１ｄと、を備える。
【００１４】
冷蔵庫１１の冷蔵室の設定温度は、冷蔵室設定温度調節ボタン２１ａの操作回数に応じて、複数段階、この場合、強、中、弱の３段階で調節可能となっている。そして、冷蔵室設定温度調節ボタン２１ａの操作により冷蔵室の設定温度が調節されると、冷蔵庫１１は、その設定された温度レベルに対応する冷蔵室設定温度レベル表示部２１ｃのＬＥＤを点灯する。また、冷蔵庫１１の冷凍室の設定温度は、冷凍室設定温度調節ボタン２１ｂの操作回数に応じて、複数段階、この場合、強、中、弱の３段階で調節可能となっている。そして、冷凍室設定温度調節ボタン２１ｂの操作により冷凍室の設定温度が調節されると、冷蔵庫１１は、その設定された温度レベルに対応する冷凍室設定温度レベル表示部２１ｄのＬＥＤを点灯する。
【００１５】
追加機能設定部２２は、冷蔵庫１１が備える各種の機能のうち上述した必須機能以外の機能を設定するための要素である。この場合、追加機能として、「一気冷凍機能」および「一気製氷機能」が規定されている。従って、追加機能設定部２２は、この場合、一気冷凍機能を設定するための設定部および一気製氷機能を設定するための設定部として構成されている。
【００１６】
具体的には、この追加機能設定部２２は、「一気冷凍機能」を設定するための一気冷凍ボタン２２ａと、「一気製氷機能」を設定するための一気製氷ボタン２２ｂと、冷蔵庫１１に設定されている各種の機能を解除するデフォルトボタン２２ｃと、一気冷凍機能が設定されていることを表示する一気冷凍設定表示部２２ｄと、一気製氷機能が設定されていることを表示する一気製氷設定表示部２２ｅと、冷蔵庫１１の機能が外部から遠隔により設定されていることを表示する外部設定表示部２２ｆと、を備える。一気冷凍機能は、冷蔵庫１１の冷凍室内を通常よりも急速に冷却することにより冷凍室内の貯蔵物を通常よりも短時間で冷凍する機能である。一気製氷機能は、冷蔵庫１１の図示しない製氷室内を通常よりも急速に冷却することにより通常よりも短時間で製氷を行う機能である。
【００１７】
一気冷凍ボタン２２ａが操作されて一気冷凍機能の実行が設定された場合には、冷蔵庫１１は、当該一気冷凍機能が実行されている間、一気冷凍機能が実行中であることを表示する一気冷凍設定表示部２２ｄのＬＥＤを点灯する。なお、一気冷凍ボタン２２ａが所定時間連続して押圧操作された場合、例えば３秒以上連続して押圧操作された場合には、いわゆる節電モードにて一気冷凍機能が実行される。これにより、より低い消費電力により一気冷凍機能が実行される。この場合、冷蔵庫１１は、一気冷凍機能が節電モードにて実行されていることを表示する節電表示部２２ｇのＬＥＤを点灯する。
【００１８】
一気製氷ボタン２２ｂが操作されて一気製氷機能の実行が設定された場合には、冷蔵庫１１は、当該一気製氷機能が実行されている間、一気製氷機能が実行中であることを表示する一気製氷設定表示部２２ｅのＬＥＤを点灯する。なお、一気製氷ボタン２２ｂが所定時間連続して押圧操作された場合、例えば３秒以上連続して押圧操作された場合には、いわゆる節電モードにて一気製氷機能が実行される。これにより、より低い消費電力により一気製氷機能が実行される。この場合、冷蔵庫１１は、一気製氷機能が節電モードにて実行されていることを表示する節電表示部２２ｈのＬＥＤを点灯する。
【００１９】
デフォルトボタン２２ｃは、解除手段の一例である。このデフォルトボタン２２ｃが操作されると、冷蔵庫１１は、詳しくは後述するようにして端末１２により設定された機能のみを解除するように構成されている。これにより、冷蔵庫１１は、端末１２により設定された機能が初期状態に戻されるように構成されている。なお、冷蔵庫１１は、デフォルトボタン２２ｃが操作された場合に、端末１２により設定された機能を含む当該冷蔵庫１１の全ての機能の設定を解除するように構成してもよい。この構成によれば、ユーザは、デフォルトボタン２２ｃを操作することにより、冷蔵庫１１を、当該冷蔵庫１１の全ての機能の設定が初期状態に戻された状態、即ち、当該冷蔵庫１１の製造時における設定状態に戻すことができる。
【００２０】
外部設定表示部２２ｆは、表示手段の一例である。冷蔵庫１１は、詳しくは後述するようにして端末１２により各機能が設定されている場合には、この外部設定表示部２２ｆのＬＥＤを点灯させる。これにより、ユーザは、冷蔵庫１１の各機能が端末１２から遠隔により設定されていることを把握することができる。
【００２１】
以上のように構成された冷蔵庫１１によれば、冷蔵庫１１が備える複数の機能のうち、所定の機能、この場合、必須機能として規定されている冷蔵室の設定温度の調節機能および冷凍室の設定温度の調節機能と、追加機能として規定されている一気冷凍機能および一気製氷機能とを、当該冷蔵庫１１が備える操作パネル１３を介して設定可能となっている。
【００２２】
ところで、冷蔵庫１１は、操作パネル１３を介して設定可能な上記の所定機能の他に、例えば、野菜冷凍機能、ドライ冷凍機能、熱もの冷凍機能、節電モード機能、タイマー節電機能、おでかけ機能、ピークシフト機能などといった各種の機能を備えている。
野菜冷凍機能は、冷蔵庫１１の図示しない野菜室を通常よりも低い温度まで冷却することにより野菜室内の野菜類を冷凍する機能である。ドライ冷凍機能は、冷蔵庫１１の野菜室内に図示しない送風ファンにより風を供給しながら冷却することにより野菜室内の野菜類の水分を飛ばしながら冷凍を行う機能である。熱もの冷凍機能は、冷凍室内を通常よりも急速に冷却することにより冷凍室内の熱い貯蔵物を冷凍する機能である。
【００２３】
節電モード機能は、冷蔵庫１１を通常よりも低い消費電力で運転する機能である。タイマー節電機能は、設定された開始時間から終了時間までの間、冷蔵庫１１を通常よりも低い消費電力で運転する機能である。なお、冷蔵庫１１は、図示しないタイマーなどといった計時手段により時間を計測することが可能に構成されている。おでかけ機能は、冷蔵庫１１の扉の開閉が所定時間以上検知されない場合に、冷蔵庫１１を通常よりも低い消費電力で運転するように自動的に切り替える機能である。なお。冷蔵庫１１は、図示しない扉開閉検知用のセンサにより扉の開閉を検知するように構成されている。ピークシフト機能は、電力需要のピーク時に、消費電力が高くなる運転、例えば、図示しない冷却器に付着した霜を取り除く除霜運転を行わないようにする機能である。
【００２４】
冷蔵庫１１は、これら所定機能以外の機能については、外部の端末１２を介して遠隔により設定する構成となっている。従って、冷蔵庫１１は、所定機能以外の機能を、操作パネル１３を介して直接的に設定することができないように構成されている。
【００２５】
次に、端末１２の構成例について説明する。即ち、図３に例示するように、端末１２は、当該端末１２の動作全般を制御する制御部３１を主体として構成されている。この制御部３１には、表示部３２、操作部３３、通信機能部３４などが接続されている。表示部３２は、例えば液晶パネルなどといった表示器により構成されている。操作部３３は、表示部３２の表示画面上に形成されるタッチパネルスイッチ、表示部３２の周囲に設けられた機械式のスイッチなどで構成されている。通信機能部３４は、外部の機器と通信するための通信機能を実現する要素である。この場合、通信機能部３４は、冷蔵庫１１の通信アダプタ１４との間に通信回線を確立して、端末１２と冷蔵庫１１とを通信可能に接続する。
【００２６】
また、端末１２には、外部の家電機器、この場合、冷蔵庫１１の各種機能を遠隔から設定するためのアプリケーションソフトが組み込まれている。このアプリケーションソフトは、例えばサーバ１６から端末１２にダウンロードすることにより当該端末１２に予め組み込まれたものである。そして、端末１２は、このアプリケーションソフトを制御部３１により実行することにより、端末側設定機能部３６、設定画面選択機能部３７をソフトウェアにより仮想的に実現する。なお、端末１２は、これらの機能部３６，３７をハードウェアにより実現する構成としてもよい。
【００２７】
端末側設定機能部３６は、端末側設定手段の一例であり、冷蔵庫１１の各種機能のうち、少なくとも、上述した所定機能を除く機能を、冷蔵庫１１との間に確立された通信回線を介して遠隔により設定する機能を有する。なお、この場合、端末側設定機能部３６は、冷蔵庫１１の所定機能も、冷蔵庫１１との間に確立された通信回線を介して遠隔により設定可能に構成されている。即ち、端末側設定機能部３６は、冷蔵庫１１の全ての機能を、当該冷蔵庫１１との間に確立された通信回線を介して遠隔により設定することが可能に構成されている。
【００２８】
設定画面選択機能部３７は、設定画面選択手段の一例であり、端末側設定機能部３６が表示部３２に表示する設定画面を選択する機能を有する。ここで、端末側設定機能部３６が表示部３２に表示する設定画面の構成例について説明する。即ち、端末１２は、複数の設定画面、この場合、図４に例示する設定画面Ｇ１、図５に例示する設定画面Ｇ２、図６に例示する設定画面Ｇ３を表示可能に構成されている。設定画面選択機能部３７は、図示しない選択画面を介したユーザによる選択操作に応じて、複数の設定画面Ｇ１〜Ｇ３のうち何れか１つを選択する。そして、端末１２は、設定画面選択機能部３７を介して選択された設定画面を表示部３２に表示するように構成されている。
【００２９】
次に、各設定画面Ｇ１〜Ｓ３の構成例について、さらに詳細に説明する。即ち、図４に例示するように、設定画面Ｇ１は、冷蔵庫に実装することを前提としてデザインされた操作パネルを模した設定画面である。この設定画面Ｇ１には、操作領域４１および表示領域４２が設けられている。操作領域４１には、「冷蔵」の文字が記された冷蔵操作部４１ａ、「冷凍」の文字が記された冷凍操作部４１ｂ、「冷凍機能」の文字が記された冷凍機能操作部４１ｃ、「製氷」の文字が記された製氷操作部４１ｄ、「節電」の文字が記された節電操作部４１ｅ、ほぼ五角形のマークが記されたキーロック操作部４１ｆが縦方向に一列に配列されている。操作領域４１に設けられる各種の操作部４１ａ〜４１ｆは、ユーザによりタッチ操作可能に設けられている。
【００３０】
表示領域４２には、複数の円弧状のセグメントからなるインジケータ４３と、複数のマーク４４とが縦方向に一列に配列されている。インジケータ４３の下部には、「強」と記された文字マークおよび「弱」と記された文字マークが横方向に配列されている。マーク４４としては、具体的には、「熱もの冷凍」と記された文字マーク４４ａ、「野菜冷凍」と記された文字マーク４４ｂ、「ドライ」と記された文字マーク４４ｃ、「一気冷凍」と記された文字マーク４４ｄ、「一気製氷」と記された文字マーク４４ｅ、「製氷オフ」と記された文字マーク４４ｆ、「節電」と記された文字マーク４４ｇ、「おでかけ」と記された文字マーク４４ｈ、「ピークシフト」と記された文字マーク４４ｉ、「ｅｃｏ」と記された文字マーク４４ｊ、キーの形状が記されたキーマーク４４ｋが設けられている。
【００３１】
冷蔵操作部４１ａは、端末１２からの遠隔操作により、冷蔵庫１１の冷蔵室の設定温度を調節するための操作部である。端末１２は、ユーザによる冷蔵操作部４１ａの操作回数に応じて、冷蔵庫１１の冷蔵室の設定温度を、複数段階、この場合、強、中、弱の３段階で調節可能となっている。また、端末１２は、冷蔵操作部４１ａの操作により設定された冷蔵室の設定温度の段階に応じて、インジケータ４３の複数のセグメントのうち点灯するセグメントの数を変動させる。
【００３２】
この場合、端末１２は、冷蔵操作部４１ａの操作により冷蔵室の設定温度が「弱」レベルに調節された場合にはインジケータ４３の５つのセグメントのうち１つのセグメントを点灯させ、「中」レベルに調節された場合には３つのセグメントを点灯させ、「強」レベルに調節された場合には５つのセグメントを点灯させる。ユーザは、点灯するセグメントの数により、冷蔵操作部４１ａの操作により調節された冷蔵室の設定温度のレベルを視覚的に把握することができる。また、端末１２は、冷蔵操作部４１ａの操作により調節された冷蔵室の設定温度を示す情報を冷蔵庫１１に送信する。冷蔵庫１１は、端末１２から得られた情報に基づいて、冷蔵室の設定温度を調節する。
【００３３】
冷凍操作部４１ｂは、端末１２からの遠隔操作により、冷蔵庫１１の冷凍室の設定温度を調節するための操作部である。端末１２は、ユーザによる冷凍操作部４１ｂの操作回数に応じて、冷蔵庫１１の冷凍室の設定温度を、複数段階、この場合、強、中、弱の３段階で調節可能となっている。また、端末１２は、冷凍操作部４１ｂの操作により設定された冷凍室の設定温度の段階に応じて、インジケータ４３の複数のセグメントのうち点灯するセグメントの数を変動させる。ユーザは、点灯するセグメントの数により、冷凍操作部４１ｂの操作により調節された冷凍室の設定温度のレベルを視覚的に把握することができる。また、端末１２は、冷凍操作部４１ｂの操作により調節された冷凍室の設定温度を示す情報を冷蔵庫１１に送信する。冷蔵庫１１は、端末１２から得られた情報に基づいて、冷凍室の設定温度を調節する。
【００３４】
冷凍機能操作部４１ｃは、端末１２からの遠隔操作により、冷蔵庫１１が備える各種の冷凍機能を実行させるための操作部である。端末１２は、ユーザによる冷凍機能操作部４１ｃの操作回数に応じて、熱もの冷凍機能、野菜冷凍機能、ドライ冷凍機能、一気冷凍機能を順次選択する。そして、端末１２は、冷凍機能操作部４１ｃの操作により選択された冷凍機能に対応する文字マーク４４ａ〜４４ｄを点灯させる。また、端末１２は、冷凍機能操作部４１ｃの操作により選択された冷凍機能を示す情報を冷蔵庫１１に送信する。冷蔵庫１１は、端末１２から得られた情報に基づいて、選択された冷凍機能を実行する。
【００３５】
製氷操作部４１ｄは、端末１２からの遠隔操作により、冷蔵庫１１が備える一気製氷機能を実行させるための操作部である。端末１２は、ユーザによる製氷操作部４１ｄの操作回数に応じて、一気製氷機能のオン／オフの設定を順次切り換える。そして、端末１２は、一気製氷機能がオンに設定された場合には、「一気製氷」と記された文字マーク４４ｅを点灯させる。また、端末１２は、一気製氷機能がオフに設定された場合には、「製氷オフ」と記された文字マーク４４ｆを点灯させる。
【００３６】
そして、端末１２は、製氷操作部４１ｄの操作により一気製氷機能がオンに切り換えられた場合には、一気製氷機能をオンに切り換えるための設定信号を冷蔵庫１１に送信する。冷蔵庫１１は、この設定信号を端末１２から受信すると、一気製氷機能をオンに切り換えて、当該一気製氷機能を実行する。一方、端末１２は、製氷操作部４１ｄの操作により一気製氷機能がオフに切り換えられた場合には、一気製氷機能をオフに切り換えるための設定信号を冷蔵庫１１に送信する。冷蔵庫１１は、この設定信号を端末１２から受信すると、一気製氷機能をオフに切り換えて、当該一気製氷機能のオン設定を解除する。これにより、一気製氷機能が停止する。
【００３７】
節電操作部４１ｅは、端末１２からの遠隔操作により、冷蔵庫１１が備える各種の節電機能を実行させるための操作部である。端末１２は、ユーザによる節電操作部４１ｅの操作回数応じて、節電モード機能、おでかけ機能、ピークシフト機能を順次選択する。そして、端末１２は、節電操作部４１ｅの操作により選択された節電機能に対応する文字マーク４４ｇ〜４４ｉを点灯させる。また、端末１２は、節電操作部４１ｅの操作により選択された節電機能を示す情報を冷蔵庫１１に送信する。冷蔵庫１１は、端末１２から与えられた情報に基づいて、選択された節電機能を実行する。
【００３８】
キーロック操作部４１ｆは、設定画面Ｇ１を介した冷蔵庫１１の設定操作を不能にするための操作部である。端末１２は、ユーザによるキーロック操作部４１ｆの操作回数に応じて、設定操作不能状態と設定操作可能状態とに順次切り換わる。設定操作不能状態では、設定画面Ｇ１のキーロック操作部４１ｆを除く各種操作部４１ａ〜４１ｅに対する操作入力が無効となり、これにより、設定画面Ｇ１を介した冷蔵庫１１の設定操作が不能となる。端末１２は、設定操作不能状態に切り換えられた場合には、キーマーク４４ｋを点灯させる。一方、設定操作可能状態では、設定画面Ｇ１の各種操作部４１ａ〜４１ｆに対する操作入力が有効となり、これにより、設定画面Ｇ１を介した冷蔵庫１１の設定操作が可能となる。端末１２は、設定操作可能状態に切り換えられた場合には、キーマーク４４ｋを消灯させる。
【００３９】
また、端末１２は、冷蔵庫１１の運転状態がエコ運転状態である場合に「ｅｃｏ」の文字マーク４４ｊを点灯させる。即ち、冷蔵庫１１は、当該冷蔵庫１１の運転状態が所定の条件を満たしている場合に、当該冷蔵庫１１の運転状態がエコ運転状態であると判断する。なお、所定条件としては、所定時間内における扉の開閉回数が所定回数以下であること、所定時間内における各貯蔵室内の温度変化が所定範囲以内であること、所定時間内における図示しない冷凍サイクルのコンプレッサの運転時間が所定時間以内であること、などが考えられる。冷蔵庫１１は、当該冷蔵庫１１の運転状態がエコ運転状態であると判断すると、当該冷蔵庫１１がエコ運転状態であることを示す情報を端末１２に送信する。端末１２は、この情報を受信すると、「ｅｃｏ」の文字マーク４４ｊを点灯させる。また、冷蔵庫１１は、当該冷蔵庫１１の運転状態がエコ運転状態でないと判断すると、当該冷蔵庫１１がエコ運転状態でないことを示す情報を端末１２に送信する。端末１２は、この情報を受信すると、「ｅｃｏ」の文字マーク４４ｊを消灯させる。
【００４０】
次に、設定画面Ｇ２について説明する。図５に例示するように、設定画面Ｇ２は、階層構造により実現された設定画面である。即ち、設定画面Ｇ２には、冷蔵庫１１の全体を簡略的に示す冷蔵庫マーク５１と、設定ボタン５２と、が設けられている。また、冷蔵庫マーク５１の周囲には、冷蔵庫１１の各貯蔵室の現在の設定状態を示す設定状態表示部５３ａ〜５３ｅと、冷蔵庫１１の現在の消費電力を示す消費電力表示部５４と、が設けられている。
【００４１】
冷蔵庫１１は、各貯蔵室の現在の設定状態を示す情報、例えば、各貯蔵室の設定温度を示す設定温度情報や各機能の設定状態などを示す情報を端末１２に送信する。端末１２は、冷蔵庫１１から受信した情報に基づいて、冷蔵庫１１の各貯蔵室の現在の設定状態を設定状態表示部５３ａ〜５３ｅに表示する。また、冷蔵庫１１は、当該冷蔵庫１１の現在の消費電力を示す消費電力情報を端末１２に送信する。端末１２は、冷蔵庫１１から受信した消費電力情報に基づいて、冷蔵庫１１の現在の消費電力を消費電力表示部５４に表示する。
【００４２】
また、端末１２は、設定ボタン５２が操作されると、表示部３２に表示する画面を、図示しない設定操作画面に遷移させる。この設定操作画面には、冷蔵庫１１の各貯蔵室の設定温度を入力する入力操作部、冷蔵庫１１の各種機能の設定のオン／オフを入力するための入力操作部などが設けられている。これら各種の入力操作部を介してユーザの設定操作が入力されると、端末１２は、その入力された情報を冷蔵庫１１に送信する。冷蔵庫１１は、端末１２から受信した情報に基づいて、各貯蔵室の設定温度の調節や、各機能のオン／オフの設定などを行う。
【００４３】
次に、設定画面Ｇ３について説明する。図６に例示するように、設定画面Ｇ３は、テキストベースの構造により実現された設定画面である。即ち、設定画面Ｇ３には、冷蔵庫１１の各種の機能を設定するための複数のメニューボタン６１が設けられている。これらメニューボタン６１は、タッチ操作可能に設けられている。
【００４４】
具体的には、「冷凍室温度設定」の文字が記されているメニューボタン６１ａは、冷蔵庫１１の冷凍室の設定温度を調節するためのメニューボタンである。端末１２は、ユーザによるメニューボタン６１ａの操作回数に応じて、冷蔵庫１１の冷凍室の設定温度を、複数段階、この場合、強、中、弱の３段階で調節可能となっている。また、端末１２は、メニューボタン６１ａの操作により設定された冷凍室の設定温度の段階に応じて、タッチボタン６１ａの表示文字を「強」、「中」、「弱」の何れかに変動させる。そして、端末１２は、メニューボタン６１ａの操作により調節された冷凍室の設定温度を示す情報を冷蔵庫１１に送信する。冷蔵庫１１は、端末１２から得られた情報に基づいて、冷凍室の設定温度を調節する。
【００４５】
「冷蔵室温度設定」の文字が記されているメニューボタン６１ｂは、冷蔵庫１１の冷蔵室の設定温度を調節するためのメニューボタンである。端末１２は、ユーザによるメニューボタン６１ｂの操作回数に応じて、冷蔵庫１１の冷蔵室の設定温度を、複数段階、この場合、強、中、弱の３段階で調節可能となっている。また、端末１２は、メニューボタン６１ｂの操作により設定された冷蔵室の設定温度の段階に応じて、メニューボタン６１ｂの表示文字を「強」、「中」、「弱」の何れかに変動させる。そして、端末１２は、メニューボタン６１ｂの操作により調節された冷蔵室の設定温度を示す情報を冷蔵庫１１に送信する。冷蔵庫１１は、端末１２から得られた情報に基づいて、冷蔵室の設定温度を調節する。
【００４６】
「一気製氷」の文字が記されているメニューボタン６１ｃは、冷蔵庫１１の一気製氷機能のオン／オフの設定を切り換えるためのメニューボタンである。端末１２は、ユーザによるメニューボタン６１ｃの操作回数に応じて、一気製氷機能のオン／オフの設定を順次切り換える。そして、端末１２は、メニューボタン６１ｃの操作により一気製氷機能がオンに切り換えられた場合には、メニューボタン６１ｃの表示文字を「ＯＦＦ」から「ＯＮ」に切り換え、また、一気製氷機能をオンに切り換えるための設定信号を冷蔵庫１１に送信する。冷蔵庫１１は、この設定信号を端末１２から受信すると、一気製氷機能をオンに切り換えて、当該一気製氷機能を実行する。一方、端末１２は、メニューボタン６１ｃの操作により一気製氷機能がオフに切り換えられた場合には、メニューボタン６１ｃの表示文字を「ＯＮ」から「ＯＦＦ」に切り換え、また、一気製氷機能をオフに切り換えるための設定信号を冷蔵庫１１に送信する。冷蔵庫１１は、この設定信号を端末１２から受信すると、一気製氷機能をオフに切り換えて、当該一気製氷機能のオン設定を解除する。これにより、一気製氷機能が停止する。
【００４７】
「製氷停止」の文字が記されているメニューボタン６１ｄは、冷蔵庫１１の製氷機能のオン／オフの設定を切り換えるためのメニューボタンである。端末１２は、ユーザによるメニューボタン６１ｄの操作回数に応じて、製氷機能のオン／オフの設定を順次切り換える。そして、端末１２は、メニューボタン６１ｄの操作により製氷機能がオンに切り換えられた場合には、メニューボタン６１ｄの表示文字を「ＯＦＦ」から「ＯＮ」に切り換え、また、製氷機能をオンに切り換えるための設定信号を冷蔵庫１１に送信する。冷蔵庫１１は、この設定信号を端末１２から受信すると、製氷機能をオンに切り換えて、当該製氷機能を実行する。一方、端末１２は、メニューボタン６１ｄの操作により製氷機能がオフに切り換えられた場合には、メニューボタン６１ｄの表示文字を「ＯＮ」から「ＯＦＦ」に切り換え、また、製氷機能をオフに切り換えるための設定信号を冷蔵庫１１に送信する。冷蔵庫１１は、この設定信号を端末１２から受信すると、製氷機能をオフに切り換えて、当該製氷機能のオン設定を解除する。これにより、製氷機能が停止する。
【００４８】
なお、その他のメニューボタン６１ｅ〜６１ｋは、それぞれ、冷蔵庫１１の一気冷凍機能、野菜冷凍機能、ドライ冷凍機能、熱もの冷凍機能、節電モード機能、ピークシフト機能、おでかけ機能のオン／オフの設定を切り換えるためのメニューボタンである。端末１２は、ユーザによる各メニューボタン６１ｅ〜６１ｋの操作回数に応じて、各機能のオン／オフの設定を順次切り換え、また、各メニューボタン６１ｅ〜６１ｋの表示文字を「ＯＮ」または「ＯＦＦ」に切り換える。そして、端末１２は、各機能をオンまたはオフに切り換えるための設定信号を冷蔵庫１１に送信し、冷蔵庫１１は、端末１２から受信した設定信号に応じて各機能のオン／オフを設定する。
【００４９】
また、メニューボタン６１ｔは、冷蔵庫１１のタイマー節電機能のオン／オフの設定を切り換えるためのメニューボタンである。端末１２は、ユーザによるメニューボタン６１ｔの操作回数に応じて、タイマー節電機能のオン／オフの設定を順次切り換え、また、メニューボタン６１ｔの表示文字を「ＯＮ」または「ＯＦＦ」に切り換える。そして、端末１２は、タイマー節電機能をオンまたはオフに切り換えるための設定信号を冷蔵庫１１に送信し、冷蔵庫１１は、端末１２から受信した設定信号に応じてタイマー節電機能のオン／オフを設定する。
【００５０】
なお、「開始」の文字が記されているボタン６１ｔｓは、タイマー節電機能の開始時間を入力するためのボタンであり、「終了」の文字が記されているボタン６１ｔｅは、タイマー節電機能の終了時間を入力するためのボタンである。端末１２は、タイマー節電機能をオンに設定するための設定信号を冷蔵庫１１に送信する際には、これらボタン６１ｔｓ，６１ｔｅを介して入力された開始時間および終了時間を示す情報も冷蔵庫１１に送信する。
【００５１】
次に、端末１２から冷蔵庫１１の各種機能を設定する場合における通信態様の一例について説明する。即ち、図７に例示するように、冷蔵庫１１の動作全般を制御する図示しない制御装置は、端末１２との間で通信回線が確立されると、冷蔵庫１１の現在の設定内容を示す設定内容情報を端末１２に送信する（Ａ１）。なお、設定内容情報は、例えば冷蔵庫１１の制御装置が備えるレジスタに格納されており、冷蔵庫１１の現在の設定内容に応じて、各アドレスのデータが書き換えられるようになっている。
【００５２】
ここで、この設定内容情報の構成例について説明する。即ち、図８に例示するように、設定内容情報のアドレス「００」の１〜４桁までのデータは冷凍室の設定温度を示し、アドレス「００」の５〜８桁までのデータは冷蔵室の設定温度を示す。また、アドレス「０１」の１〜８桁目のデータは、それぞれ、一気製氷機能のオン／オフの設定状態、製氷停止機能のオン／オフの設定状態、一気冷凍機能のオン／オフの設定状態、節電機能のオン／オフの設定状態、ピークシフト機能のオン／オフの設定状態、おでかけ機能のオン／オフの設定状態、タイマー節電機能のオン／オフの設定状態、野菜冷凍機能のオン／オフの設定状態を示している。
【００５３】
また、アドレス「０２」の１桁目のデータはドライ冷凍機能のオン／オフの設定状態を示し、アドレス「０２」の２桁目のデータは熱もの冷凍機能のオン／オフの設定状態を示している。そして、各機能が「オフ」に設定されている場合には、対応のデータが「０」に書き換えられ、各機能が「オン」に設定されている場合には、対応のデータが「１」に書き換えられる。また、アドレス「０３」に格納されている８ビットのデータは、タイマー節電機能の開始時間を示している。また、アドレス「０４」に格納されている８ビットのデータは。タイマー節電機能の終了時間を示している。
【００５４】
端末１２は、アプリケーションプログラムを起動すると、設定画面Ｇ１〜Ｓ３のうち予め選択された設定画面を表示する（Ｂ１）。このとき、端末１２は、冷蔵庫１１から受信した設定内容情報に基づいて、冷蔵庫１１の現在の設定内容を、表示中の設定画面の各項目に反映させる。これにより、端末１２に、冷蔵庫１１の現在の設定内容が表示される。なお、冷蔵庫１１において設定内容に変更が生じた場合には、冷蔵庫１１は、その変更後の設定内容を示す設定内容情報を端末１２に送信する。そして、端末１２は、新たに受信した設定内容情報を、表示中の設定画面の各項目に反映させる。これにより、端末１２には、冷蔵庫１１の現在の設定内容がリアルタイムで表示されるようになる。
【００５５】
そして、端末１２は、表示中の設定画面を介して設定の入力が行われた場合には、冷蔵庫１１に設定変更情報を送信する（Ｂ２）。この設定変更情報は、端末１２側に冷蔵庫１１の設定を変更するための入力が行われたことを示す情報である。冷蔵庫１１は、端末１２から設定変更情報を受信すると、設定変更許可信号を端末１２に送信する（Ａ２）。そして、端末１２は、冷蔵庫１１から設定変更許可信号を受信すると、設定画面を介して入力された設定内容を示す変更内容情報を、冷蔵庫１１に送信する（Ｂ３）。冷蔵庫１１は、端末１２から変更内容情報を受信すると、その変更内容情報に基づいて各機能を設定する（Ａ３）。そして、冷蔵庫１１は、変更後の設定内容を示す設定内容情報を端末１２に送信する（Ａ４）。
【００５６】
端末１２は、冷蔵庫１１から変更後の設定内容が反映された設定内容情報を受信すると、その設定内容情報と、冷蔵庫１１に送信した変更内容情報とを照合する。これにより、端末１２は、冷蔵庫１１の各機能の設定が変更内容情報に基づいて変更されたか否かを検証する（Ｂ４）。そして、端末１２は、冷蔵庫１１の各機能の設定が変更内容情報に基づいて変更されている場合（Ｂ５：ＹＥＳ）には、冷蔵庫１１に設定変更確認信号を送信する（Ｂ６）。なお、端末１２は、冷蔵庫１１の各機能の設定が変更内容情報に基づいて変更されていない場合（Ｂ５：ＮＯ）には、ステップＢ３に移行して、冷蔵庫１１の各機能の設定を変更するための処理を繰り返す。
【００５７】
本実施形態に係る冷蔵庫設定システム１０によれば、冷蔵庫１１は、当該冷蔵庫１１の所定機能を設定する操作パネル１３を備え、一方、端末１２は、少なくとも、冷蔵庫１１の各種の機能のうち所定機能を除く機能を設定する端末側設定機能部３６を備えている。この構成によれば、冷蔵庫１１側の操作パネル１３は、所定機能を設定するために必要な最小限の要素のみに絞って構成することができ、その構成を簡素にすることができる。また、冷蔵庫１１側の操作パネル１３を簡素な構成にしたとしても、所定機能以外の機能については、その機能を使用したいユーザが外部の端末１２を介して任意に設定することができる。これにより、冷蔵庫１１の機能を増やしたとしても操作パネル１３の複雑化や高コスト化を招くおそれがなく、従って、多機能化が進む冷蔵庫１１を、より低い製造コストで実現することができ、且つ、冷蔵庫１１の各種機能を、より簡易な態様により設定することができる。
【００５８】
また、所定機能としては、冷蔵庫１１において必須と考えられる機能あるいはよく使用される機能を設定するとよい。このような機能は、端末１２から間接的に設定するよりも、冷蔵庫１１から直接的に設定した方が使い勝手が良いからである。
【００５９】
また、冷蔵庫１１は、端末１２側の端末側設定機能部３６により所定機能を除く機能が設定されている場合に、そのことを表示する外部設定表示部２２ｆを備える。この構成によれば、ユーザは、冷蔵庫１１の各機能が端末１２から遠隔により設定されていることを容易に把握することができる。また、例えば、冷蔵庫１１のある機能が動作している場合に、その動作が、端末１２からの設定により行われているのか、あるいは、冷蔵庫１１に何らかの不具合が生じたために行われているのか、の判断を容易に行うことができる。
【００６０】
また、冷蔵庫１１は、端末１２側の端末側設定機能部３６により設定された機能を解除するデフォルトボタン２２ｃを備える。この構成によれば、端末１２から遠隔により設定された機能を、冷蔵庫１１側にて容易に解除することができる。
【００６１】
また、冷蔵庫１１は、デフォルトボタン２２ｃが操作された場合に、端末１２により設定された機能を含む当該冷蔵庫１１の全ての機能を解除するように構成してもよい。この構成によれば、デフォルトボタン２２ｃを操作することにより、冷蔵庫１１の設定状態を初期状態にリセットすることができ、その後の各機能の設定を初期状態から改めて行うことができる。
【００６２】
本実施形態では、冷蔵庫１１側の操作パネル１３には所定機能に関する操作ボタンや表示部しか備えられておらず、従って、ユーザは、操作パネル１３を確認したとしても、冷蔵庫１１の各種機能の設定状態、特に、所定機能以外の機能の設定状態を把握することができない。しかし、本実施形態では、冷蔵庫１１側に、各種機能の設定を解除するためのデフォルトボタン２２ｃを設けた。これにより、ユーザは、冷蔵庫１１の各種機能の設定状態がどのような状態であるのかを把握できない場合であっても、デフォルトボタン２２ｃを操作することにより冷蔵庫１１を一旦初期状態に戻すことができ、冷蔵庫１１の各種機能の設定を改めて行うことができる。
【００６３】
また、端末１２は、端末側設定機能部３６により表示される設定画面を、設定画面選択機能部３７により選択することができる構成である。これにより、ユーザの好みに応じた設定画面を提供することができ、操作性や使い勝手の向上を図ることができる。
【００６４】
また、端末１２は、端末側設定機能部３６により所定機能も設定することが可能である。この構成によれば、冷蔵庫１１の全ての機能を遠隔から設定することができ、例えば、ユーザが外出している場合や冷蔵庫１１が設置された部屋に存在していない場合などであっても、冷蔵庫１１の全ての機能の設定操作が可能となる。この場合、冷蔵庫１１側の操作パネル１３は、所定機能を操作するために必要最小限の簡素な構成となっており、例えば、設定温度の調節は、「強」、「中」、「弱」の３段階でしか設定することができない。そのため、端末１２からの設定では、例えば、設定温度の調節を３段階以上の複数段階で設定できるようにしてもよいし、あるいは、１度単位あるいは０．１度単位で細かく設定できるようにしてもよい。即ち、端末１２からの設定操作は、簡素な構成である操作パネル１３からの設定操作よりもきめ細かく行えるように構成するとよい。
【００６５】
（第２実施形態）
図９に例示する冷蔵庫設定システム２０によれば、冷蔵庫１１は、さらに記憶装置７１を備えている。この記憶装置７１は、記憶手段の一例であり、冷蔵庫１１に実際に設定された設定内容を随時記憶する。これにより、記憶装置７１には、過去における冷蔵庫１１の設定内容を示す情報が蓄積されていく。
【００６６】
ところで、記憶装置７１の記憶容量は限られていることから、過去における冷蔵庫１１の設定内容を示す情報を全て記憶装置７１に記憶することは好ましくない。そこで、冷蔵庫１１は、過去における冷蔵庫１１の設定内容のうち特定の設定内容を示す情報のみを記憶するように構成されている。
【００６７】
即ち、端末１２は、図１０に例示する設定画面Ｇ４を表示する。この設定画面Ｇ４は、上述した設定画面Ｇ４に、チェックボックス５６ａ，５６ｂを追加したものである。チェックボックス５６ａ，５６ｂは、設定画面Ｇ４に入力された設定内容を保存するために使用する要素である。端末１２は、チェックボックス５６ａにチェックが入力されている場合には、設定画面Ｇ４に入力された設定内容を示す設定内容情報を冷蔵庫１１に送信する際に、当該設定内容情報を設定［１］として保存することを指令する保存指令情報［Ｓｅｔ１］を添付する。また、端末１２は、チェックボックス５６ｂにチェックが入力されている場合には、設定画面Ｇ４に入力された設定内容を示す設定内容情報を冷蔵庫１１に送信する際に、当該設定内容情報を設定［２］として保存することを指令する保存指令情報［Ｓｅｔ２］を添付する。
【００６８】
冷蔵庫１１は、端末１２から受信した設定内容情報に保存指令情報［Ｓｅｔ１］が添付されている場合には、その設定内容情報に基づいて各機能を設定するとともに、その設定内容情報を設定［１］として記憶装置７１に記憶する。また、端末１２から受信した設定内容情報に保存指令情報［Ｓｅｔ２］が添付されている場合には、その設定内容情報に基づいて各機能を設定するとともに、その設定内容情報を設定［２］として記憶装置７１に記憶する。
【００６９】
また、図１１に例示するように、冷蔵庫１１の操作パネル１３には、設定手段の一例である設定ボタン８１と、設定１を意味する「Ｓｅｔ１」が記された設定表示部８２ａと、設定２を意味する「Ｓｅｔ２」が記された設定表示部８２ｂと、選択ボタン８３と、選択表示部８４ａ，８４ｂと、が設けられている。冷蔵庫１１は、端末１２から受信した設定内容情報を設定［１］として記憶装置７１に記憶した場合には、設定表示部８２ａのＬＥＤを点灯させる。なお、図１１には、設定表示部８２ａのＬＥＤを点灯させた状態を示している。
【００７０】
また、冷蔵庫１１は、端末１２から受信した設定内容情報を設定［２］として記憶装置７１に記憶した場合には、設定表示部８２ｂのＬＥＤを点灯させる。ユーザは、設定表示部８２ａ，８２ｂの点灯状況に基づいて、過去における冷蔵庫１１の設定内容が保存されているのか否かを把握することができる。
【００７１】
冷蔵庫１１は、選択ボタン８３の操作回数に応じて、設定［１］に対応する選択表示部８４ａまたは設定［２］に対応する選択表示部８４ｂを順次切り換えながら点灯させる。そして、冷蔵庫１１は、設定ボタン８１が操作されると、そのときに選択表示部８４が点灯している設定に対応する設定内容情報を記憶装置７１から読み出す。そして、冷蔵庫１１は、読み出した設定内容情報に基づいて冷蔵庫１１の各機能を設定する。
【００７２】
本実施形態に係る冷蔵庫設定システム２０によっても、冷蔵庫１１の機能を増やしたとしても操作パネル１３の複雑化や高コスト化を招くおそれがなく、従って、多機能化が進む冷蔵庫１１を、より低い製造コストで実現し、且つ、より簡易な態様により設定することができる。
【００７３】
また、冷蔵庫設定システム２０は、冷蔵庫１１の設定内容を記憶する記憶装置７１と、その記憶装置７１に記憶されている設定内容に基づいて冷蔵庫１１の各機能を設定する設定ボタン８１と、を備える。この構成によれば、過去における冷蔵庫１１の設定内容を容易に再現することができ、ユーザの好みに応じた設定内容で冷蔵庫１１を動作させることができる。なお、記憶装置７１は、冷蔵庫１１ではなく、例えば、端末１２あるいはサーバ１６に設ける構成としてもよい。
【００７４】
また、記憶装置７１に記憶できる設定内容情報は、２つに限られるものではなく、その数を適宜変更して実施することができる。この場合、記憶可能な設定内容情報の数に応じて、設定画面Ｇ４に設けるチェックボックス５６の数、操作パネル１３に設ける設定表示部８２および選択表示部８４の数も変更して実施するとよい。
【００７５】
（その他の実施形態）
本実施形態は、上述した複数の実施形態に限定されるものではなく、例えば次のように変形または拡張することができる。
冷蔵庫１１は、操作パネル１３を介して設定可能な機能について、当該操作パネル１３からも端末１２からも設定操作が入力された場合には、操作パネル１３からの設定操作を有効とするように構成してもよいし、端末１２からの設定操作を有効とするように構成してもよい。また、冷蔵庫１１は、操作パネル１３を介して設定可能な機能について、当該操作パネル１３からも端末１２からも設定操作が入力された場合には、操作パネル１３からの設定操作および端末１２からの設定操作のうち何れか遅い方を有効とするように構成してもよい。
【００７６】
必須機能設定部２１は、必須機能として、少なくとも各貯蔵室の設定温度を調節する設定温度調節機能を含んでいればよい。従って、冷蔵庫は、温度調節機能以外の機能をさらに必須機能として規定して必須機能設定部２１により調節できるように構成してもよい。
家電機器設定システムを構築する家電機器は、冷蔵庫１１に限られるものではなく、例えば、洗濯機、加熱調理器などといった他の家電機器類で構成してもよい。
【００７７】
また、家電機器設定システムを構築する端末は、スマートフォンに限られるものではなく、例えば、テレビ、タブレット、パーソナルコンピュータなどで構成してもよく、また、家電機器設定システム用に設けた専用の端末で構成してもよい。即ち、本実施形態に係る家電機器設定システムを構築する端末は、家電機器と通信可能に接続されるものであり、且つ、ユーザの操作を入力する入力部を有するものであれば、種々の端末類を適用することができる。
【００７８】
また、家電機器設定システムを構築する家電機器と端末との関係は１対１の関係でなくてもよく、例えば、１台の家電機器を複数の端末から遠隔により設定操作できる構成としてもよいし、複数の家電機器を１台の端末から遠隔により設定操作できる構成としてもよい。また、複数の家電機器を複数の端末から遠隔により設定操作できる構成としてもよい。
【００７９】
本実施形態に係る家電機器設定システムは、家電機器と、当該家電機器と通信する通信機能を有する端末と、で構築される家電機器設定システムである。このシステムにおいて、前記家電機器は、当該家電機器の所定機能を設定する家電機器側設定手段を備える。また、前記端末は、前記家電機器の機能のうち前記所定機能を除く機能を設定する端末側設定手段を備える。この構成によれば、家電機器の機能を増やしたとしても家電機器側設定手段の複雑化や高コスト化を招くおそれがなく、従って、多機能化が進む家電機器を、より低い製造コストで実現することができ、且つ、家電機器の各種機能を、より簡易な態様により設定することができる。
【００８０】
本実施形態に係る家電機器は、端末と通信する通信機能を有し、当該端末とともに家電機器設定システムを構築する家電機器である。この家電機器は、当該家電機器の所定機能を設定する家電機器側設定手段を備える。そして、この家電機器の機能のうち前記所定機能を除く機能は、前記端末が備える端末側設定手段により設定される。
【００８１】
本実施形態に係る端末は、家電機器と通信する通信機能を有し、当該家電機器とともに家電機器設定システムを構築する端末である。そして、この端末は、前記家電機器の機能のうち所定機能を除く機能を設定する端末側設定手段を備える。
【００８２】
本実施形態に係る家電機器と端末とで家電機器設定システムを構築することにより、多機能化が進む家電機器を、より低い製造コストで実現することができ、且つ、家電機器の各種機能を、より簡易な態様により設定することができる。
【００８３】
以上、本発明の複数の実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００８４】
図面中、１０，２０は冷蔵庫設定システム（家電機器設定システム）、１１は冷蔵庫（家電機器）、１２は端末、１３は操作パネル（家電機器側設定手段）、２２ｃはデフォルトボタン（解除手段）、２２ｆは外部設定表示部（表示手段）、３６は端末側設定機能部（端末側設定手段）、３７は設定画面選択機能部（設定画面選択手段）、７１は記憶装置（記憶手段）、８１は設定ボタン（設定手段）、を示す。
【図１】
2020125899.tif 000003
【図２】
2020125899.tif 000004
【図３】
2020125899.tif 000005
【図４】
2020125899.tif 000006
【図５】
2020125899.tif 000007
【図６】
2020125899.tif 000008
【図７】
2020125899.tif 000009
【図８】
2020125899.tif 000010
【図９】
2020125899.tif 000011
【図１０】
2020125899.tif 000012
【図１１】
2020125899.tif 000013